(57)【要約】【目的】  太陽光発電を用いて夜光性看板を作る【構成】  外界の太陽光照射空間に太陽光受光板及び又は太陽電池を有し、太陽光照射時には、充電コントローラーにて蓄電池に充電し、太陽光の無い夜又は雨天・曇天時は蓄電池から夜間中は放電し、放電コントローラーにてＬＥＤの点灯を行い看板に所望の文字・模様をうきだたせる太陽光発電を利用した夜光性看板であり、  太陽光受光板の単体の大きさが縦方向２５ｃｍ〜９０ｃｍで、横方向が３０ｃｍ〜１３０ｃｍの一枚又は必要に応じて複数枚を使用する、太陽光発電を利用した夜光性看板であり、充電コントローラー、蓄電池、放電コントローラーの保管箱の大きさが太陽光受光板の総容量に適合する大きさである太陽光発電を利用した夜光性看板であり、雨天又は曇天時には該蓄電地に商業用電源から電力を補給して夜間時に夜光性看板を点灯させる太陽光発電を利用した夜光性看板。【選択図】  図１
2006154566.tif 000002
【特許請求の範囲】
【請求項１】
外界の太陽光照射空間に太陽光受光板及び又は太陽電池を有し、太陽光照射時には、充電コントローラーにて蓄電池に充電し、太陽光の無い夜又は雨天・曇天時は蓄電池から夜間中は放電し、放電コントローラーにてＬＥＤの点灯を行い看板に所望の文字・模様をうきだたせる事を特徴とする太陽光発電を利用した夜光性看板。
【請求項２】
外界の太陽光照射空間に太陽光受光板及び又は太陽電池を有し、太陽光照射時には、充電コントローラーにて蓄電池に充電し、太陽光の無い夜又は雨天・曇天時は蓄電池から夜間中は放電し、放電コントローラーにてＬＥＤの点灯を行い看板に所望の文字・模様をうきだたせる太陽光発電を利用した夜行性看板であって、太陽光受光板の単体の大きさが縦方向２５ｃｍ〜９０ｃｍで、横方向３０ｃｍ〜１３０ｃｍの１枚又は複数枚を使用する事を特徴とする請求項１記載の太陽光発電を利用した夜光性看板。
【請求項３】
外界の太陽光照射空間に太陽光受光板及び又は太陽電池を有し、太陽光照射時には、充電コントローラーにて蓄電池に充電し、太陽光の無い夜又は雨天・曇天時は蓄電池から夜間中放電し、放電コントローラーにてＬＥＤの点灯を行い看板に所望の文字・模様をうきだたせる太陽光発電を利用した夜光性看板であって、充電コントローラー、蓄電池、放電コントローラーの保管箱の大きさが太陽光受光板の総容量に適合する事を特徴とする請求項１又は請求項２記載の太陽光発電を利用した夜光性看板。
【請求項４】
外界の太陽光照射空間に太陽光受光板及び又は太陽電池を有し、太陽光照射時には、充電コントローラーにて蓄電池に充電し、太陽光の無い夜又は雨天・曇天時は蓄電池から夜間中は放電し、放電コントローラーにてＬＥＤの点灯を行い看板に所望の文字・模様をうきだたせる太陽光発電を利用した夜行性看板であって、雨天又は曇天時には該蓄電地に商業用電源から電力を補給して夜間時に夜光性看板を点灯させる事を特徴とする請求項１又は請求項２又は請求項３又は請求項４記載の太陽光発電を利用した夜光性看板。
【発明の詳細な説明】
【技術分野】
【０００１】
太陽光発電を充電し、放電する事で、看板に活用する分野。
【背景技術】
【０００２】
太陽電池を電源として、側面方向に光を放つＬＥＤと、太陽電池によって充電される蓄電池と、ＬＥＤの点滅を制御する制御部とを配設する本体ケースと、太陽電池及びＬＥＤを覆うように本体ケースの上面部から側面部にわたって設けられると共に、上面部がレンズ状の局面構造に側面部が平面状に形成される透明樹脂ケースと、透明樹脂ケースの内側でＬＥＤ周囲に透明樹脂ケースと一体的に設けられると共にアルミニューム蒸着により形成されるリフレクターを備える自発光体。
【発明の開示】
【発明が解決しようとする課題】
【０００３】
化石燃料の枯渇に対応する技術開発
半永久的に繰り返し使用可能なエネルギー供給
光源の選択範囲拡大
顕在模様、文字の美的表現方法の模索
従来のネオンと違い、顧客の要望の多様化への迅速な対応
【課題を解決するための手段】
【０００４】
上記の課題を解決する為に鋭意研究した結果本発明に到達したもので本発明は即ち、
外界の太陽光照射空間に太陽光受光板及び又は太陽電池を有し、太陽光照射時には、充電コントローラーにて蓄電池に充電し、太陽光の無い夜又は雨天・曇天時は、蓄電池に必要量だけ充電し、蓄電池から夜間中は放電し、放電コントローラーにてＬＥＤの点灯を行い看板に所望の文字・模様をうきだたせる太陽光発電を利用した夜光性看板であり、
外界の太陽光照射空間に太陽光受光板及び又は太陽電池を有し、太陽光照射時には、充電コントローラーにて蓄電池に充電し、太陽光の無い夜又は雨天・曇天時には、蓄電池に必要量だけ充電し、蓄電池から夜間中のみ放電し、放電コントローラーにてＬＥＤの点灯を行い看板に所望の文字・模様をうきだたせる太陽光発電を利用した夜行性看板であって、太陽光受光板の大きさが、縦方向２５ｃｍ〜９０ｃｍで横方向３０ｃｍ〜１３０ｃｍのものを一枚又は複数枚使用する、太陽光発電を利用した夜光性看板であり、
外界の太陽光照射空間に太陽光受光板及び又は太陽電池を有し、太陽光照射時には、充電コントローラーにて蓄電池に充電し、太陽光の無い夜又は雨天・曇天時には、蓄電池には必要量だけ充電し、蓄電池から夜間中のみ放電し、放電コントローラーにてＬＥＤの点灯を行い看板に所望の文字・模様をうきだたせる太陽光発電を利用した夜光性看板であって、充電コントローラー、蓄電池、放電コントローラーの保管箱の大きさが、太陽光受光板の総容量に適合する太陽光発電を利用した夜光性看板であり、  外界の太陽光照射空間に太陽光受光板及び又は太陽電池を有し、太陽光照射時には、充電コントローラーにて蓄電池に充電し、太陽光の無い夜又は雨天・曇天時には、必要量だけ蓄電池に充電し、該蓄電池から夜間中は放電し、放電コントローラーにてＬＥＤの点灯を行い看板に所望の文字・模様をうきだたせる太陽光発電を利用した夜行性看板であって、
再言すれば、雨天又は曇天時には該蓄電地に商業用電源から電力を補給して夜間時に夜光性看板を点灯させる太陽光発電を利用した夜光性看板であります。
【発明の効果】
【０００５】
１）晴天での看板点灯は言うに及ばず、雨天・曇天でも点灯可能である。
２）看板の大小は自由自在に出来る。
３）日照時の充電と夜間の点灯も自在に出来る。
４）独立電源システムを採用する事により、電源コードを必要とせず、看板を設置出来る面積があれば設置自由で有る。
５）商用電源を通じて使用する事も可能で、その消費電力は、同サイズ度程の普通看板に較べ約１／５である。
６）太陽電池パネルを３６０度回転にする事により最大限有効な太陽光照射を得る事が出来る。
【発明の実施を最良にするための形態】
【０００６】
１）太陽光又は太陽光より得られた太陽電池から昼間は充電コントローラーで充電し、蓄電池・バツテリーに蓄える。夜に成ると蓄電池から放電コントローラーに放電し、放電コントローラーからＬＥＤを敷設した看板に点灯する。点灯時間は点灯タイマーで制御する。
２）雨天・曇天時には太陽光又は太陽電池からの蓄電池への充電は期待出来ないので、商業用電源から蓄電池に必要量だけ充電しておくか又は放電に必要なだけ、充電しても良い。
３）充電コントローラー、蓄電池、放電コントローラーは四囲に囲まれた看板の内部にまとめて置いても、別の所においても構わない。
４）外光の照度の変化により自動的に看板を点灯させたり消灯させる事が  出来る（自動運用）。又連続点灯時間を１〜１２時間の単位で設定する事が出来る。
５）看板の点灯の動作パターンを色々設定出来ます。
連続点灯
点滅表示（周期設定）
明滅表示（周期設定）
6）プラスチック（製）パネルの印刷色と数種のLEDの発色光が融合する事で非常に美しい文字及びデザイン図の表現が可能である。 
【０００７】
図面に基づいて本発明を説明する。第１図は本発明の概念チャート図で、外界の太陽光照射空間に太陽光受光板及び又は太陽電池１を有し、昼間の太陽光照射時には、充電コントローラー２にて蓄電池３に充電し、太陽光の無い夜又は雨天・曇天時は蓄電池３から夜間中は放電し、放電コントローラー４にてＬＥＤの点灯を行い看板５に所望の文字・模様をうきだたせる太陽光発電を利用した夜光性看板であります。    
太陽光受光板１の大きさに付いて述べますと、消費する夜光性看板の単体の大きさに因りますが、縦方向２５ｃｍ〜９０ｃｍで、横方向３０ｃｍ〜１３０ｃｍのものを一枚又は複数枚使用するものである。
充電コントローラー、蓄電池、放電コントローラーの保管箱の大きさに付いて述べますと、太陽光受光板の総容量に適合する形状のものが望ましい。
本発明の太陽光発電を利用した夜光性看板の大きさは、顧客の注文によって大きさは変化するので、上記の数字は、望ましい参考数字の一例にしか過ぎません。
雨天又は曇天時には該蓄電地に商業用電源から電力を補給して夜間時に夜光性看板を点灯させる太陽光発電を利用した夜光性看板で有りますが、夜光性看板の大きさ及び使用時間によって電気使用料が変わりますので、設計の段階で決めるものとします。
【０００８】
図２は、本発明の一つの実施例で有ります。看板は４面使用可能で有りますが、４面皆違う図柄でも良いし、側面同士が同じ２柄でも可能で有ります。
図３は看板６が円形の場合である。
すなわち看板は円形でも楕円形でも良く、回転しても良い。
太陽光・太陽電池の電源部、充電制御・蓄電池・放電制御の電源制御部、ＬＥＤの点灯・点灯タイマー設定の表示部は同一場所で行っても、別々に置いても良い。
ＬＥＤに付いては、赤、青、緑、橙、黄などが用いられる。
【図面の簡単な説明】
【０００９】
【図１】図１は本発明の概略説明図である。
【図２】図２は本発明の実施例の斜視図の一例である。
【図３】図３は本発明の看板の３６０度回転の斜視図の一例である。
【符号の説明】
【００１０】
１    ソーラーパネル（太陽電池）
２    充電コントローラー（充電制御部）
３    蓄電池  
４    放電コントローラー（放電制御部）
５    夜光性看板
６    文字図柄点灯例
７    地面置き台
【図１】
2006154566.tif 000003
【図２】
2006154566.tif 000004
【図３】
2006154566.tif 000005